(57)【要約】【課題】扉への加工を少なくできる電気錠用通信ユニットの取付構造を提供する。【解決手段】電気錠用通信ユニット１１の取付構造において、扉２３を貫通して形成されるスリット状の通信ユニット貫通穴４３と、通信ユニット貫通穴４３に重ねられて扉室内面１９に設けられ固定用孔及び配線用穴を有する底板７５と、通信ユニット貫通穴４３に挿通され扉室内側から固定用孔を貫通した固定ビスに基端側が固定され先端側のアンテナ部８５が扉室外面から突出される通信ユニット３９と、扉室内面１９に垂直な方向で通信ユニット３９に収容され、配線用穴を介して扉室内面１９側へ電気接続される回路基板６１と、を設けた。【選択図】  図７
2014051789.tif 000002
【特許請求の範囲】
【請求項１】
扉を貫通して形成されるスリット状の通信ユニット貫通穴と、
前記通信ユニット貫通穴に重ねられて扉室内面に設けられ固定用孔及び配線用穴を有する底板と、
前記通信ユニット貫通穴に挿通され扉室内側から前記固定用孔を貫通した固定ビスに基端側が固定され先端側のアンテナ部が扉室外面から突出される通信ユニットと、
前記扉室内面に垂直な方向で前記通信ユニットに収容され、前記アンテナ部に接続されるとともに、前記配線用穴を介して扉室内面側に電気接続される回路基板と、
を具備することを特徴とする電気錠用通信ユニットの取付構造。
【請求項２】
請求項１記載の電気錠用通信ユニットの取付構造であって、
前記扉室外面に配置されて前記通信ユニット貫通穴と前記通信ユニットとの間隙を塞ぐ隠しプレートが、前記底板に固定されることを特徴とする電気錠用通信ユニットの取付構造。
【請求項３】
請求項１または２記載の電気錠用通信ユニットの取付構造であって、
前記扉の厚みに応じて前記底板と前記通信ユニットとの間に挟み入れられ前記通信ユニットを嵩上げ可能とするスペーサーを具備することを特徴とする電気錠用通信ユニットの取付構造。
【請求項４】
請求項１，２，３のいずれか１つに記載の電気錠用通信ユニットの取付構造であって、
電源である電池が扉室内面に固定される台座の内方に収容されることを特徴とする電気錠用通信ユニットの取付構造。
【発明の詳細な説明】
【技術分野】
【０００１】
本発明は、非電気錠を電気錠化する際に用いて好適な電気錠用通信ユニットの取付構造に関する。
【背景技術】
【０００２】
施解錠装置として、モーターにより施解錠を行うようにした電気錠タイプのものが知られている。従来、非電気錠タイプの施解錠装置を、電気錠タイプの施解錠装置へ変更するには、錠箱がモーターを内蔵したものへと交換される。これに伴って一般的には既存室外側ユニット及び既存室内側ユニットも新規のものへと交換される。また、室外側の自動施解錠を可能とするためのリーダーユニットを扉室外面に取り付けたり、閉扉状態を検知する被検知部材や閉扉検知センサを扉枠や扉に取り付けたりする工事が行われる。さらに、上記リーダーユニット、閉扉検知センサを錠箱内の制御盤に接続する配線工事が行われていた。
【先行技術文献】
【特許文献】
【０００３】
【特許文献１】特開２０１２−８７４９５号公報
【発明の概要】
【発明が解決しようとする課題】
【０００４】
しかしながら、非電気錠タイプの施解錠装置において、サムターンに対して電動の構成を組み付ける場合、扉室外面に施解錠の信号を受けるアンテナ部を設けるが、一般的にこのアンテナ部は広い面積を表出させる。このため、非電気錠を電気錠化する際には、扉に対して大きな貫通穴が必要となり、扉に対する加工数が多くなる問題があった。
また、大きな貫通穴を形成させることで、扉自体の防火性能、防水性能、さらには気密性を損ねることになる虞があり、また、アンテナ部が嵌挿され固定されているものの、そのアンテナ部を損壊されることで防犯性を低下させる虞もあり、そして、扉自体を加工することからデザイン性が低下した。
【０００５】
本発明は上記状況に鑑みてなされたもので、その目的は、扉への加工を小さくし、防火性能、防水性能、気密性の低下を小さくして、防犯性の低下を防ぐことのできる電気錠用通信ユニットの取付構造を提供することにある。
【課題を解決するための手段】
【０００６】
次に、上記の課題を解決するための手段を、実施の形態に対応する図面を参照して説明する。
本発明の請求項１記載の電気錠用通信ユニットの取付構造は、扉２３を貫通して形成されるスリット状の通信ユニット貫通穴４３と、
前記通信ユニット貫通穴４３に重ねられて扉室内面１９に設けられ固定用孔７７及び配線用穴７９を有する底板７５と、
前記通信ユニット貫通穴４３に挿通され扉室内側から前記固定用孔７７を貫通した固定ビス８３に基端側が固定され先端側のアンテナ部８５が扉室外面４１から突出される通信ユニット３９と、
前記扉室内面１９に垂直な方向で前記通信ユニット３９に収容され、前記アンテナ部８５に接続されるとともに、前記配線用穴７９を介して扉室内面１９側へ電気接続される回路基板６１と、
を具備することを特徴とする。
【０００７】
この電気錠用通信ユニットの取付構造では、扉室外面４１に露出させるアンテナ部８５を備えた通信ユニット３９が、扉２３に貫通形成される通信ユニット貫通穴４３に挿入される。通信ユニット３９は、収容しなければならない回路基板６１が、扉室内面１９と垂直な方向で配置されることで、厚さの薄い薄型化が実現されている。これにより、通信ユニット貫通穴４３は、スリット状に形成可能となっている。アンテナ部８５は、断面形状が通信ユニット貫通穴４３と相似する細長の小面積であっても、扉室外面４１から突出、例えばこの扉室外面４１に沿う拍子木形状に突出されることで、表出面積が増大され、表出面が多方向となり、アンテナ性能が良好に確保される。つまり、アンテナ性能を低下させずに、通信ユニット貫通穴４３が細長に形成可能となっている。その結果、通信ユニット貫通穴４３から工具や手指を挿入し難くできる。また、通信ユニット貫通穴４３は、スリット状に小さく形成され、扉室内面１９に取り付けられる上記の底板７５によって覆われるので、防火性能が確保される。
【０００８】
本発明の請求項２記載の電気錠用通信ユニットの取付構造は、請求項１記載の電気錠用通信ユニットの取付構造であって、
前記扉室外面４１に配置されて前記通信ユニット貫通穴４３と前記通信ユニット３９との間隙を塞ぐ隠しプレート１０３が、前記底板７５に固定されることを特徴とする。
【０００９】
この電気錠用通信ユニットの取付構造では、例えばダイカスト製の隠しプレート１０３が、扉室内面１９に設けられる底板７５とで、扉２３を挟んで扉室外面４１に固定される。この隠しプレート１０３が、通信ユニット貫通穴４３と通信ユニット３９との間隙を塞ぐことで、防犯強度が高められる。
【００１０】
本発明の請求項３記載の電気錠用通信ユニットの取付構造は、請求項１または２記載の電気錠用通信ユニットの取付構造であって、
前記扉２３の厚みに応じて前記底板７５と前記通信ユニット３９との間に挟み入れられ前記通信ユニット３９を嵩上げ可能とするスペーサー１２１を具備することを特徴とする。
【００１１】
この電気錠用通信ユニットの取付構造では、スペーサー１２１を底板７５と通信ユニット３９との間に挟入しない場合と、挟入する場合とで、底板７５、即ち、扉室内面１９からアンテナ部８５突出先端までの距離が可変可能となる。これにより、厚みの異なる厚さのある扉２３Ａに同一の通信ユニット３９が取り付けられる場合であっても、スペーサー１２１を適宜使用することで、常にアンテナ部８５を扉室外面４１から所定の突出量で取り付けることが可能となる。
【００１２】
本発明の請求項４記載の電気錠用通信ユニットの取付構造は、請求項１，２，３のいずれか１つに記載の電気錠用通信ユニットの取付構造であって、
電源である電池４５が扉室内面１９に固定される台座２５の内方に収容されることを特徴とする。
【００１３】
この電気錠用通信ユニットの取付構造では、電池４５が台座２５に収容され、電池４５が扉２３の外に配置される。台座２５が扉２３に取り付けられると同時に、電池４５の装備も完了し、扉２３に新たな電池収容スペースを確保する必要がない。
【発明の効果】
【００１４】
本発明に係る請求項１記載の電気錠用通信ユニットの取付構造によれば、扉室外面に露出させるアンテナ部を備えた通信ユニットは、回路基板が扉室内面と垂直な方向で収容され、薄型に構成されており、扉に貫通形成される通信ユニット貫通穴に挿入されることから、この通信ユニット貫通穴をスリット状に形成可能となっている。アンテナ部は、断面形状が通信ユニット貫通穴と相似する細長の小面積であり、扉室外面から突出する構成としたことで、表出面積が確保され、表出面が多方向となり、アンテナ性能が良好となる。すなわち、アンテナ性能を低下させずに、通信ユニット貫通穴が細長に形成可能となっている。その結果、通信ユニット貫通穴から工具や手指を挿入し難くでき、防犯性を向上できる効果が得られる。また、通信ユニット貫通穴は、スリット状に小さく形成されるので、扉自体の防火性能、防水性能、さらには気密性を大きく低下させることがないという効果を得られる。さらに、扉室内面に取り付けられる底板によって通信ユニット貫通穴が覆われることからも、防火性能、防水性能及び気密性の低下を小さいものとすることが可能となる。そして、通信ユニット貫通穴が小さい形状であることから、扉への加工が小さく少なくなり、加工作業を少なくして、デザイン性の低下を小さくすることが可能となる。
【００１５】
本発明に係る請求項２記載の電気錠用通信ユニットの取付構造によれば、通信ユニット貫通穴と通信ユニットとの間隙を塞いで、防火性能の低下を抑え、防犯性を高めることができる。
【００１６】
本発明に係る請求項３記載の電気錠用通信ユニットの取付構造によれば、異なる厚みの扉に対してもスペーサーを挟み入れることで、アンテナ部の突出長を一定にして、アンテナ性能を安定させることができる。
【００１７】
本発明に係る請求項４記載の電気錠用通信ユニットの取付構造によれば、電池ボックス等を扉室内面に凹設するための扉への穴開け加工をなくすことができる。
【図面の簡単な説明】
【００１８】
【図１】本発明に係る電気錠用通信ユニットを備える電動サムターンユニットを室内側から見た斜視図である。
【図２】図１に示した電動サムターンユニットを室外側から見た斜視図である。
【図３】図１に示した電動サムターンユニットを下方から見た下面図である。
【図４】図１に示した電動サムターンユニットの分解斜視図である。
【図５】図４に示した通信ユニットの分解斜視図である。
【図６】図４に示した台座の背面図である。
【図７】図１に示した電動サムターンユニットの扉への組み付けを説明する分解斜視図である。
【図８】（ａ）は厚みの小さい扉に取り付けられた通信ユニットの斜視図、（ｂ）は厚みの大きい扉に取り付けられた通信ユニットの斜視図である。
【発明を実施するための形態】
【００１９】
以下、本発明に係る実施形態を図面を参照して説明する。
図１は本発明に係る電気錠用通信ユニットを備える電動サムターンユニットを室内側から見た斜視図、図２は図１に示した電動サムターンユニットを室外側から見た斜視図、図３は図１に示した電動サムターンユニットを下方から見た下面図、図４は図１に示した電動サムターンユニットの分解斜視図、図５は図４に示した通信ユニットの分解斜視図、図６は図４に示した台座の背面図である。
本発明に係る電気錠用通信ユニットの取付構造では、例えば、非電気錠タイプのプッシュプル錠を、電気錠タイプのプッシュプル錠へ変更し電動サムターンを具備する際に好適となる。本実施形態の電気錠用通信ユニットを具備する電動サムターンユニット１１を用いた場合、既存室外側グリップユニット１３はそのまま使用が可能となる。つまり、本実施形態の電気錠用通信ユニットは、図示しない既存室内側グリップユニットと交換が可能となる。既存室外側グリップユニット１３にはシリンダー錠である図４に示す上側シリンダー錠１５、下側シリンダー錠１７が設けられ、これらは錠箱である不図示の上側錠箱、下側錠箱にそれぞれ接続されている。
【００２０】
電動サムターンユニット１１は、本体として扉室内面１９（図３参照）に取り付けられるグリップサムターンユニット２１を有する。グリップサムターンユニット２１は、室内側から扉２３を開放する際、台座２５に対しグリップ２７が押し込み方向に可動されることで、図６に示すプッシュプル機構部２９が作動される。プッシュプル機構部２９は、扉２３に内蔵された上側錠箱、下側錠箱のラッチボルト（図示せず）を錠箱内へ後退可能とさせ、扉２３を開放可能にする。これにより、扉２３の開放方向とグリップ２７の操作によるラッチボルトの後退操作を一致させ、扉２３の良好な開放操作性を実現している。また、グリップサムターンユニット２１にはサムターンである上側サムターン３１、下側サムターン３３が設けられている。このように、グリップサムターンユニット２１は、上側サムターン３１、下側サムターン３３及びグリップ２７を備えて、上側シリンダー錠１５、下側シリンダー錠１７が接続されている既存の上側錠箱、下側錠箱に対して上側サムターン３１、下側サムターン３３からの施解錠操作力及びグリップ２７からのラッチ操作力を入力するようになっている。
【００２１】
グリップサムターンユニット２１の上下には、駆動ユニットである上側駆動ユニット３５と、下側駆動ユニット３７が一体に取り付けられている。ここで一方の上側駆動ユニット３５には通信ユニット３９が一体に固定され、通信ユニット３９は扉２３を貫通して、扉室外面４１（図８参照）に表出する。このため、扉室外面４１には、通信ユニット３９を表出させるためのスリット状の通信ユニット貫通穴４３（図７参照）が現地工事にて扉２３を貫通して形成される。
【００２２】
グリップサムターンユニット２１の台座２５には電池４５（図４参照）を収容する電池ボックス４７が一体に取り付けられる。電池ボックス４７は、扉室内面１９の外側、すなわち、台座２５の内方に収容される。このため、扉室内面１９には、電池ボックス４７を凹設するための加工が不要となっている。電池４５を収容した電池ボックス４７は蓋４９によって塞がれる。
【００２３】
上側サムターン３１と上側錠箱、下側サムターン３３と下側錠箱とは、それぞれが図６に示すサムターン軸５１によって接続されている。上側駆動ユニット３５及び下側駆動ユニット３７にはそれぞれのサムターン軸５１を回転させるモーターである上側モーター５３（図５参照）、下側モーター（図示せず）が装備されている。
【００２４】
それぞれのサムターン軸５１には噛合部材５５（図６参照）が固定される。これに対し、上側駆動ユニット３５と下側駆動ユニット３７とには、噛合部材５５と噛合可能となり、上側モーター５３、下側モーターによって回転される図５に示す出力歯車５７がそれぞれの上側駆動ユニット３５、下側駆動ユニット３７から露出されている。なお、上側モーター５３と出力歯車５７との間、下側モーターと出力歯車５７との間には、ギア列５９（図５参照）やクラッチが介装される。クラッチは、施解錠の電気的動作と、手動動作とで、空回りを許容して、施錠状態または解錠状態の姿勢、例えば解錠状態で垂直縦姿勢、施錠状態で水平横姿勢等を保つ。
【００２５】
電動サムターンユニット１１では、サムターンが、上側サムターン３１と下側サムターン３３との上下で設けられる。モーターは、上側サムターン３１を作動する上側モーター５３と下側サムターン３３を作動する下側モーターとの上下で設けられ、図４に示す回路基板としての制御基板６１によって上側モーター５３及び下側モーターの双方が駆動制御されて上側サムターン３１及び下側サムターン３３が施解錠動作される。このように、グリップサムターンユニット２１に対して、上側駆動ユニット３５、下側駆動ユニット３７を取り付けることで、上側サムターン３１が上側モーター５３によって、下側サムターン３３が下側モーターによって容易に電動駆動できるようになっている。
【００２６】
図４に示すように、グリップサムターンユニット２１を扉室内面１９に取り付けるには、扉室内面１９に上下一対の取付板６３が固定される。取付板６３には上側シリンダー錠１５、下側シリンダー錠１７の作動軸（テールピース）を貫通させる透孔６５が穿設される。また、取付板６３には既存室外側グリップユニット１３に突設された固定ネジ筒６７と一致する複数のネジ筒固定孔６９が穿設される。既存室外側グリップユニット１３は、扉室内面側からネジ筒固定孔６９に通された室外側グリップ固定ネジ７１（図７参照）が固定ネジ筒６７に螺合されることで扉室外面４１に固定される。一方、グリップサムターンユニット２１は、取付板６３に起立するユニット固定片７３にネジ固定されて、扉室内面１９に固定される。
【００２７】
ところで、通信ユニット貫通穴４３（図７参照）には、扉室内面１９に設けられる底板７５（図５参照）が重ねられ、通信ユニット貫通穴４３を覆う。底板７５には、固定用孔７７及び配線用穴７９が穿設される。これら固定用孔７７及び配線用穴７９は通信ユニット貫通穴４３よりも小さい。底板７５の扉側の面にはリーダーカバー８１が、底板７５の室内側の面から挿入される固定ビス８３によって固定される。リーダーカバー８１の内方には制御基板６１が扉室内面１９に垂直な方向で収容される。制御基板６１には、アンテナ部８５を備えた通信用基板（図示せず）が統合されている。制御基板６１には制御用配線が電気接続され、制御用配線は配線用穴７９から扉室内面１９側に導出される。なお、リーダーカバー８１の室外側の面には図２に示す室外側施解錠ボタン８７、ＬＥＤ標示部８９（図８参照）が設けられている。従って、通信ユニット３９は、通信ユニット貫通穴４３に挿通され、扉室内側から固定用孔７７を貫通した固定ビス８３に基端側が固定され、先端側のアンテナ部８５が扉室外面４１から突出される。アンテナ部８５の突出状態は、扉室外面４１に沿う形状とされ、例えば細長い拍子木形状となる。
【００２８】
底板７５の室内側の面には、出力歯車５７やギア列５９を支持するための複数のギア軸９１（図５参照）が立設される。また、底板７５の室内側の面には、操作用基板９３が固定され、操作用基板９３は室内側施解錠ボタン９５（図１参照）に応じたマイクロスイッチ９７やＬＥＤ標示部８９に応じたＬＥＤ９９が実装される。これら、上側モーター５３、ギア列５９、操作用基板９３は、駆動カバー１０１によって覆われる。
【００２９】
扉室外面４１には例えばダイカスト製の隠しプレート１０３（図５参照）が配置され、隠しプレート１０３はアンテナ表出穴１０５からアンテナ部８５を表出させることで通信ユニット貫通穴４３と通信ユニット３９との間隙を塞ぐ。隠しプレート１０３の背面にはプレート固定筒１０７が突出され、プレート固定筒１０７は室内側から駆動カバー１０１と底板７５とを貫通するプレート固定ビス１０９によって底板７５に固定される。つまり、隠しプレート１０３は、底板７５とで扉２３を挟んで固定される。駆動カバー１０１は、更にユニットカバー１１１によって覆われる。このユニットカバー１１１は、底板７５とグリップサムターンユニット２１との双方に螺着される。従って、底板７５は、上側駆動ユニット３５と螺着され、破壊時に変形はするものの脱落し難い構造となり、サムターンへのアプローチの障壁となる。なお、下側駆動ユニット３７は、底板７５によらず、扉室内面１９またはグリップサムターンユニット２１に直接螺着される。
【００３０】
このように、上側駆動ユニット３５は、底板７５を介して扉室内面１９に取り付けられ、制御基板６１によって動作制御されてサムターン軸５１を回転させる上側モーター５３を内設している。
【００３１】
上側駆動ユニット３５には上記の制御基板６１が収容され、制御基板６１は通信ユニット３９、上側モーター５３、下側モーターに接続される。また、上側駆動ユニット３５には制御基板６１に接続される室内側施解錠ボタン９５が室内側に表出して設けられる。制御基板６１は、室内側施解錠ボタン９５の押下に応じ、上側モーター５３、下側モーターを回転させ、サムターン軸５１を施錠または解錠方向へ回転可能としている。なお、室内側施解錠ボタン９５の近傍のＬＥＤ標示部８９は、制御基板６１に接続され、施解錠状態を発光色等によって明示する。
【００３２】
グリップサムターンユニット２１には電池ボックス４７の側方に図６に示す配線空間１１３が確保されている。この配線空間１１３には給電用配線が配索される。電動サムターンユニット１１では、電池ボックス４７と制御基板６１とが給電用配線（図示せず）によって接続され、制御基板６１と下側モーターとが制御用配線（図示せず）によって接続されることで、現地での電気配線工事が不要となっている。
【００３３】
電動サムターンユニット１１では、扉２３の設けられた図３に示す扉枠１１５に、グリップサムターンユニット２１と近接して被検知部材１１７が取り付けられる。一方、グリップサムターンユニット２１に固定されて一体となった下側駆動ユニット３７には、被検知部材１１７を検知することで閉扉を検知する図２に示す閉扉検知センサ１１９が収容されている。この閉扉検知センサ１１９は、制御用配線によって制御基板６１と接続される。なお、本実施形態では、閉扉検知センサ１１９が下側駆動ユニット３７に設けられるが、閉扉検知センサ１１９は、上側駆動ユニット３５またはグリップサムターンユニット２１に収容されてもよい。
【００３４】
また、底板７５とユニットカバー１１１との間に、図８（ｂ）に示すスペーサー１２１が挟入可能に備えられる。スペーサー１２１は、扉２３の厚みに応じて底板７５と通信ユニット３９との間に挟み入れられ、通信ユニット３９を嵩上げ可能とする。
【００３５】
次に、上記構成を有する電動サムターンユニット１１の作用を説明する。
図７は図１に示した電動サムターンユニット１１の扉２３への組み付けを説明する分解斜視図、図８（ａ）は厚みの小さい扉２３に取り付けられた通信ユニット３９の斜視図、（ｂ）は厚みの大きい扉２３に取り付けられた通信ユニット３９の斜視図である。
電動サムターンユニット１１では、非電気錠を電気錠へ交換したい場合、既存室内側グリップユニットが取り外される。扉室内面１９及び扉室外面４１には通信ユニット３９を取り付けるための図７に示す通信ユニット貫通穴４３をスリット状に開ける。扉２３への加工はこれで終了する。
【００３６】
扉室内面１９には、通信ユニット３９が一体となったグリップサムターンユニット２１が取り付けられる。扉室外面４１に露出させるアンテナ部８５を備えた通信ユニット３９は、扉２３に貫通形成される通信ユニット貫通穴４３に挿入される。通信ユニット３９は、収容しなければならない制御基板６１が、扉室内面１９と垂直な方向で配置されることで、薄型化が実現されている。これにより、通信ユニット貫通穴４３は、縦長なスリット状に形成可能となっている。
【００３７】
アンテナ部８５は、断面形状が通信ユニット貫通穴４３と相似する細長の小面積であっても、扉室外面４１から突出されることで、表出面積が増大され、表出面が多方向となり、アンテナ性能が良好に確保される。つまり、アンテナ性能を低下させずに、通信ユニット貫通穴４３が細長に形成可能となっている。その結果、通信ユニット貫通穴４３を介した室外側から工具や手指を挿入し難くできる。また、通信ユニット貫通穴４３は、扉室内面１９に取り付けられる上記の底板７５によって覆われるので、防火性能が確保される。
【００３８】
隠しプレート１０３は、扉室内面１９に設けられる底板７５とで、扉２３を挟んで扉室外面４１に固定される。この隠しプレート１０３が、通信ユニット貫通穴４３と通信ユニット３９との間隙を塞ぐことで、防犯強度が高められる。
【００３９】
グリップサムターンユニット２１から突出されている施解錠操作力入力用のサムターン軸５１、ラッチ操作力入力用の作動片（図示せず）は、既存室内側グリップユニットと同様に錠箱と接続される。基本的にここまでで電気錠への変更が完了する。
【００４０】
錠箱に接続される新規のサムターン軸５１は、噛合部材５５と出力歯車５７が噛合されることで、モーター（５３）によって回転可能となる。モーターは、通信ユニット３９または室内側施解錠ボタン９５、室外側施解錠ボタン８７から施解錠信号の入力された制御基板６１によって回転が制御される。グリップサムターンユニット２１には電池ボックス４７が収容され、電池ボックス４７は制御基板６１、通信ユニット３９、モーターと、予めグリップサムターンユニット２１の内方に配索される給電用配線によって接続が完了されているので、現地での配線工事は一切不要となる。
【００４１】
そして、電池４５は、電動サムターンユニット１１の台座２５に収容され、扉２３の外に配置される。台座２５が扉２３に取り付けられると同時に、電池４５の装備も完了し、扉２３に新たな電池収容スペースを確保する必要がない。これにより、電池ボックス４７等を扉室内面１９に凹設するための扉２３への穴開け加工をなくすことができる。すなわち、扉２３の強度を低下させることがない。
【００４２】
また、電動サムターンユニット１１では、非電気錠と同様の構造部分であるサムターン軸５１に噛合部材５５を設け、この噛合部材５５に噛合する出力歯車５７を駆動ユニットに露出させて設けたので、既存錠箱をそのまま使用できる。従って、既存錠箱からモーター内蔵錠箱への交換を不要にして、簡単に電気錠化が可能となる。このようにして、従来、錠箱に設けられていたモーターを、錠箱外で容易に設けることができるようになっている。
【００４３】
また、本実施形態の電動サムターンユニット１１では、サムターンが複数の上側サムターン３１や下側サムターン３３となって増えても、グリップサムターンユニット２１に上側モーター５３、下側モーターが増設され、これらが給電用配線で予め接続される。これにより、防犯性を高めた複数シリンダー、複数サムターンを備える構造に対しても電気錠化を容易にできる。従って、上下にシリンダー錠及びサムターンが設けられる防犯性を高めた構成に対しても容易に対応できる。
【００４４】
また、閉扉検知センサ１１９をグリップサムターンユニット２１に予め内蔵させておくことで、現地での閉扉検知センサ１１９の取付工事、配線工事は、被検知部材１１７の取り付け工事のみに半減する。これにより扉２３への閉扉検知センサ１１９の取付工事及び閉扉検知センサ１１９と制御基板６１との配線工事を省略することができる。
【００４５】
さらに、図８（ａ）に示すようにスペーサー１２１を底板７５と通信ユニット３９との間に挟入しない場合と、図８（ｂ）に示すようにスペーサー１２１を挟入する場合とで、底板７５、すなわち、扉室内面１９からアンテナ部８５突出先端までの距離が可変可能となる。これにより、厚みの異なる厚い扉２３Ａに同一の通信ユニット３９が取り付けられる場合であっても、スペーサー１２１を適宜使用することで、常にアンテナ部８５を扉室外面４１から所定の突出量ｄで取り付けることが可能となる。このように、電気錠用通信ユニットでは、異なる厚みの扉２３Ａに対してもスペーサー１２１を挟み入れることで、アンテナ部８５の突出長を一定にして、アンテナ性能を安定させることができる。
【００４６】
従って、本実施形態に係る電気錠用通信ユニットの取付構造によれば、アンテナ部８５を備えた通信ユニット３９が貫通可能な通信ユニット貫通穴４３がスリット形状であることから、扉２３への加工を少なくすることが可能となる。そして、この通信ユニット貫通穴４３が小さい貫通穴であることで、扉２３自体の防火性能、防水性能を大きく損ねず、さらには気密性の低下を抑えることが可能となる。また、アンテナ部の破壊されることがあっても、その貫通穴である通信ユニット貫通穴４３がスリット状で小さいことから、防犯性を低下させることがない。また、扉２３への加工が小さくデザイン性を低下させることもないものである。
【００４７】
なお、上述した実施形態では、サムターンを電気的に作動させる電動サムターンユニット１１を主構成とした電気錠に通信ユニット３９を具備する構成としたが、上述した電動サムターンに限らず、扉に内設される錠箱にモーターが内蔵される施解錠錠装置や、扉面に配設される面付錠などの所謂電気錠において、通信ユニット３９を備える構成であれば上記同様の効果を得られるもので、扉２３への加工を小さくできるものである。
【符号の説明】
【００４８】
１１…電動サムターンユニット
１９…扉室内面
２３…扉
２５…台座
３５…駆動ユニット（上側駆動ユニット）
３９…通信ユニット
４１…扉室外面
４３…通信ユニット貫通穴
４５…電池
６１…回路基板（制御基板）
７５…底板
７７…固定用孔
７９…配線用穴
８３…固定ビス
８５…アンテナ部
１０３…隠しプレート
１２１…スペーサー
【図１】
2014051789.tif 000003
【図２】
2014051789.tif 000004
【図３】
2014051789.tif 000005
【図４】
2014051789.tif 000006
【図５】
2014051789.tif 000007
【図６】
2014051789.tif 000008
【図７】
2014051789.tif 000009
【図８】
2014051789.tif 000010